【手続補正書】
【提出日】平成25年2月25日(2013.2.25)
【手続補正１】
【補正対象書類名】特許請求の範囲
【補正対象項目名】全文
【補正方法】変更
【補正の内容】
【特許請求の範囲】
【請求項１】
航空宇宙システムであって、
第１の端部及び全体として前記第１の端部と反対側の第２の端部を備えた垂直離着陸する打ち上げビークルを有し、前記打ち上げビークルは、前記第１の端部と前記第２の端部との間に延びるビークル軸線に沿って細長く、
前記打ち上げビークルにより支持された推進システムを有し、前記推進システムは、前記打ち上げビークルを打ち上げるよう前記打ち上げビークルの前記第１の端部寄りに位置決めされた少なくとも１つのノズルを有し、
前記打ち上げビークルにより支持されている展開可能且つ収納可能な外方に向いた表面材を有し、前記展開可能な表面材は、収納位置と展開位置との間で前記打ち上げビークルに対して動くことができ、前記展開可能な表面材は、収納時に、全体として前記ビークル軸線に垂直な第１のビークル断面積部及び展開時に全体として前記ビークル軸線に垂直な第２のビークル断面積部を生じさせるよう構成され、前記第２の断面積部は、前記ビークルの前記第１の端部よりも前記ビークルの前記第２の端部に近く、前記第２の断面積部の断面積は、前記第１の断面積部の断面積よりも大きく且つ前記第１の端部と前記第２の断面積部の間に位置した全体として前記ビークル軸線に垂直な全ての断面積より大きく、
前記打ち上げビークルにより支持されていて、ビークル上昇中、前記展開可能な表面材を収納し、ビークル下降中、前記展開可能な表面材を展開するよう構成された制御装置を有する、航空宇宙システム。
【請求項２】
ビークル上昇とビークル下降との間の変化を表す信号をもたらすよう前記制御装置に作動的に結合されたセンサを更に有する、請求項１記載の航空宇宙システム。
【請求項３】
前記展開可能な表面材は、多数の展開可能なパネルを含み、隣り合うパネルは、互いに異なる周方向の場所を有する、請求項１記載の航空宇宙システム。
【請求項４】
前記隣り合うパネルは、互いにオーバーラップしている、請求項３記載の航空宇宙システム。
【請求項５】
前記展開可能な表面材は、前記打ち上げビークルに対して回動可能に動くことができる、請求項１記載の航空宇宙システム。
【請求項６】
前記展開可能な表面材は、全体として空気力学的にシールされている、請求項１記載の航空宇宙システム。
【請求項７】
前記展開可能表面は、空気が前記展開可能な表面材を流通することができるよう位置決めされた空気通路を有する、請求項１記載の航空宇宙システム。
【請求項８】
前記展開可能な表面材は、羽根を含む、請求項１記載の航空宇宙システム。
【請求項９】
前記展開可能な表面材は、フレアを含む、請求項１記載の航空宇宙システム。
【請求項１０】
前記展開可能な表面材は、多数の要素を含み、前記制御装置には、個々の要素を別の個々の要素とは別個独立に動かす命令がプログラムされている、請求項１記載の航空宇宙システム。
【請求項１１】
前記展開可能な表面材は、第２の展開可能な表面材であり、前記打ち上げビークルは、前記打ち上げビークルの前記第１の端部寄りに位置決めされた第１の展開可能な表面材を含み、前記制御装置には前記第１及び前記第２の展開可能な表面材の運動を別個独立に制御する命令がプログラムされている、請求項１記載の航空宇宙システム。
【請求項１２】
前記互いにオーバーラップしている隣り合うパネルは、多数の外側パネル及び多数の内側パネルを含み、個々の内側パネルは、隣接する外側パネルの間且つ半径方向内方に位置している請求項４記載の航空宇宙システム。
【請求項１３】
航空宇宙システムであって、
第１の端部及び全体として前記第１の端部と反対側の第２の端部を備えた垂直離着陸する打ち上げビークルを有し、前記打ち上げビークルは、前記第１の端部と前記第２の端部との間に延びるビークル軸線に沿って細長く、
前記打ち上げビークルにより支持されている外方に向いた少なくとも１つの露出表面材を有し、前記露出表面材は、前記打ち上げビークルの前記第１の端部寄りに前記ビークル軸線に沿った単位長さ当たりの第１の露出表面面積を生じさせるよう位置決めされ又は位置決め可能な第１の領域を有し、前記露出表面材は、前記打ち上げビークルの前記第２の端部寄りに前記ビークル軸線に沿った単位長さ当たりの第２の露出表面面積を生じさせるよう位置決めされ又は位置決め可能な第２の領域を有し、前記単位長さ当たりの第２の露出表面面積は、前記単位長さ当たりの第１の露出表面面積より大きく且つ前記第１の端部と前記単位長さ当たりの第２の露出表面面積との間に位置した単位長さ当たりのいずれの露出表面面積よりも大きく、
前記第２の領域は、収納位置と展開位置との間で前記ビークル軸線に対して動くことができ、前記露出表面材の前記第２の領域は、前記展開位置にあるとき、前記単位長さ当たりの第２の露出表面面積を生じさせるよう構成され、前記第２の領域は、ビークル飛行の上昇段階の間、収納位置にあり、ビークル飛行の下降段階の間、展開位置にあり、
前記打ち上げビークルにより支持された推進システムを有し、前記推進システムは、前記打ち上げビークルを打ち上げるよう前記打ち上げビークルの前記第１の端部寄りに位置決めされた少なくとも１つのノズルを有する、航空宇宙システム。
【請求項１４】
前記単位長さ当たりの第１の露出表面面積は、前記第１の端部寄りの前記露出表面材の単位長さ当たりの最大露出表面面積であり、前記単位長さ当たりの第２の露出表面面積は、前記第２の端部寄りの前記露出表面材の単位長さ当たりの最大露出表面面積である請求項１３記載の航空宇宙システム。
【請求項１５】
ビークル上昇とビークル下降との間の変化を表す信号をもたらすよう前記制御装置に作動的に結合されたセンサを更に有する、請求項１３記載の航空宇宙システム。
【請求項１６】
前記第２の領域は、多数の展開可能なパネルを含み、隣り合うパネルは、互いに異なる周方向の場所を有する、請求項１３記載の航空宇宙システム。
【請求項１７】
前記隣り合うパネルは、互いにオーバーラップしている、請求項１６記載の航空宇宙システム。
【請求項１８】
前記互いにオーバーラップしている隣り合うパネルは、多数の外側パネル及び多数の内側パネルを含み、個々の内側パネルは、隣接する外側パネルの間且つ半径方向内方に位置している請求項１７記載の航空宇宙システム。
【請求項１９】
前記第２の領域は、前記打ち上げビークルに対して回動可能に動くことができる、請求項１３記載の航空宇宙システム。
【請求項２０】
前記第２の領域は、全体として空気力学的にシールされている、請求項１３記載の航空宇宙システム。
【請求項２１】
前記第２の領域は、空気が前記展開可能な表面材を流通することができるよう位置決めされた空気通路を有する、請求項１３記載の航空宇宙システム。
【請求項２２】
前記第２の領域は、羽根を含む、請求項１３記載の航空宇宙システム。
【請求項２３】
前記第２の領域は、フレアを含む、請求項１３記載の航空宇宙システム。
【請求項２４】
前記展開可能な表面材は、多数の要素を含み、前記制御装置には、個々の要素を別の個々の要素とは別個独立に動かす命令がプログラムされている、請求項１３記載の航空宇宙システム。
【請求項２５】
前記第２の領域は、第２の展開可能な表面材を含み、前記打ち上げビークルは、前記打ち上げビークルの前記第１の端部寄りに位置決めされた第１の展開可能な表面材を含み、前記制御装置には前記第１及び前記第２の展開可能な表面材の運動を別個独立に制御する命令がプログラムされている、請求項１３記載の航空宇宙システム。